(57)【要約】【課題】  組立用の外部工具を使わずに、光ファイバ同士の調心とファイバ保持とを同時に行えるようにする。【解決手段】  フレーム５に挿着することでブッシュ３を、ケーブルクランプユニット２１を装着可能とした保持部材４側へ移動してチャック７、ブッシュ３相互の密着を解除する一方、フレーム５から抜去することでブッシュ３をフェルール２側へ移動してチャック７、ブッシュ３相互を密着するロック部材１１を備えて成る現場組立光コネクタであって、フレーム５には、ロック部材１１を挿入可能とする開口部を備えた摘み部６を外装固定する。摘み部６を外装したフレーム５の後端側に装着した保持部材４の後端部側には、ケーブルクランプユニット２１装着後の光ファイバーＰ心線の撓み状態確認用の開閉可能な蓋体３２を有する嵌合部本体３１を備える。【選択図】          図７
2006184491.tif 000002
【特許請求の範囲】
【請求項１】
フレームに挿着することでブッシュを、ケーブルクランプユニットを装着可能とした保持部材側へ移動させてチャック、ブッシュ相互の密着を解除させる一方、フレームから抜去することでブッシュをフェルール側へ移動させてチャック、ブッシュ相互を密着させるロック部材を備えて成る現場組立光コネクタであって、フレームには、ロック部材を挿入可能とする開口部を備えた摘み部が外装固定されて成ることを特徴とした現場組立光コネクタ。
【請求項２】
ロック部材は、ロックプレートの両側に、フレームの挿入孔に挿入可能な二股脚部を備えて成る請求項１記載の現場組立光コネクタ。
【請求項３】
摘み部が外装されたフレームの後端側に装着された保持部材の後端部側には、ケーブルクランプユニット装着後の光ファイバー心線の撓み状態確認用の開閉可能な蓋体を有する嵌合部本体を備えて成る請求項１または２記載の現場組立光コネクタ。
【請求項４】
ケーブルクランプユニットは、光ファイバー心線の案内溝を備えた身部と、当該身部の案内溝に対向した案内溝を備えた開閉可能な蓋部とから成り、身部もしくは蓋部の何れか一方には、光ファイバケーブルを押さえる突起を付設して成る請求項１乃至３のいずれか記載の現場組立光コネクタ。
【発明の詳細な説明】
【技術分野】
【０００１】
本発明は、光ファイバの接続において、２本の裸ファイバの先端面を突き合わせ、その突き合わせ接合部分の近傍を裸ファイバの側面から押圧して固定するためのメカニカルスプライス方式を採用した現場組立光コネクタに関する。
【背景技術】
【０００２】
従来のメカニカルスプライス方式においては、スプライス部材に光ファイバ心線を後方から導入し、第１光ファイバと光ファイバ心線の先端から剥き出した第２光ファイバとを突き合わせ、前記スプライス部材をクランプして光ファイバ心線に固定するものにおいて、第１光ファイバの後端面と第２光ファイバの前端面とを突き合わせる領域に第１屈折率整合材を注入し、前記スプライス部材に設けられた第２光導入部に第２屈折率整合材を注入する構成とすると共に、ベース部材およびカバー部材から成るスプライス部材の一側面に、楔挿入スリットが形成されているものとした技術が提供されている。
【特許文献１】特開平１１−１６０５６３号公報
【発明の開示】
【発明が解決しようとする課題】
【０００３】
しかしながら、従来による光ファイバの接続では、屈折率整合材が２箇所に分散された状態で内蔵され、この状態のスプライス部材の楔挿入スリットに楔を挿入して固定するものであるため、接続作業が面倒となるばかりでなく、クランプ部材の押圧力に抗してスプライス部材を押し開く必要があるため、このとき押し開くための専用の外部工具を必要としていた。
【０００４】
そこで、本発明は、叙上のような従来存した諸事情に鑑み創出されたもので、組立用の外部工具を使わずに、両光ファイバ同士の調心とファイバ保持とを同時に行えるようにすることで、簡単に短時間で組立を行うことが可能な現場組立光コネクタを提供することを目的とする。
【課題を解決するための手段】
【０００５】
上記目的を達成するため本発明にあっては、フレームに挿着することでブッシュを、ケーブルクランプユニットを装着可能とした保持部材側へ移動させてチャック、ブッシュ相互の密着を解除させる一方、フレームから抜去することでブッシュをフェルール側へ移動させてチャック、ブッシュ相互を密着させるロック部材を備えて成る現場組立光コネクタであって、フレームには、ロック部材を挿入可能とする開口部を備えた摘み部が外装固定されて成ることを特徴とする。
【０００６】
ロック部材は、ロックプレートの両側に、フレームの挿入孔に挿入可能な二股脚部を備えて成るものとすることができる。
【０００７】
摘み部が外装されたフレームの後端側に装着された保持部材の後端部側には、ケーブルクランプユニット装着後の光ファイバー心線の撓み状態確認用の開閉可能な蓋体を有する嵌合部本体を備えて成るものとすることができる。
【０００８】
ケーブルクランプユニットは、光ファイバー心線の案内溝を備えた身部と、当該身部の案内溝に対向した案内溝を備えた開閉可能な蓋部とから成り、身部もしくは蓋部の何れか一方には、光ファイバケーブルを押さえる突起を付設して成るものとすることができる。
【０００９】
具体的には、両端部が開口されたファイバ孔が軸方向に形成され、挿入される光ファイバの突き当て接続部の位置する側にファイバ孔まで達する凹部を設けて成るフェルールと、突き当て接続部を下面側で押さえ付けるよう凹部に被せられ、上面側に前部から後部に向かってテーパ面を有するチャックと、チャックのテーパ面に外側から密着するよう一部にテーパ内面を有する嵌合孔が前端部に形成され、フェルールのファイバ孔と同軸で連通する案内用ファイバ孔が形成されたブッシュと、ブッシュに外側から嵌合する嵌合孔が前端部に形成され、ブッシュの案内用ファイバ孔と同軸で連通するテーパ状ファイバ孔が後端部に形成され、後端部にケーブルクランプユニットを装着可能とした保持部材とを備え、挿着することでブッシュを保持部材側へ移動させてチャックのテーパ面、ブッシュの嵌合孔のテーパ内面相互の密着を解除させる一方、抜去することでブッシュをフェルール側へ移動させてチャックのテーパ面、ブッシュの嵌合孔のテーパ内面相互を密着させるロック部材を備えて成る現場組立光コネクタであって、フレームには、ロック部材を挿入可能とする開口部を備えた摘み部が外装固定されて成ることを特徴とする。
【００１０】
以上のように構成された本発明に係る現場組立光コネクタにあって、ロック部材は、摘み部の開口部を介してフレーム、ブッシュ相互間に挿入することで、ブッシュを保持部材側へ移動させ、チャックへの締め付け力を解除させる。そして、光ファイバを挿入突き当て後に、ロック部材を抜脱することで、ブッシュをフェルール側へ向けて移動させ、チャックに締め付け力を付与して、チャックのテーパ面、ブッシュの嵌合孔のテーパ内面相互を密着させて突き当て接続部をチャックの下面側で押さえ付けるものとなって、ファイバ調心とファイバ保持とが同時に行われる。
【００１１】
すなわち、ブッシュの内側において、片面がフェルールに、他の片面がチャックのテーパ面に接触してファイバ締め付けを可能にさせる。このときフェルール押圧と、ファイバ調心およびファイバ固定とを同時に行わせるため、フェルールバックによる光ファイバの移動を後部の空間で吸収可能となっている。
【発明の効果】
【００１２】
本発明は、以上のように構成されているために、組立用の外部工具を使わずに、両光ファイバ同士の調心とファイバ保持とを同時に行えるようにすることで、簡単で短時間で組立を行うことができる。また、ロック部材は、フレームに外装されている摘み部を付けたままの状態で挿脱可能であるため、現場での摘み部の取り付け作業が省け、作業性が向上する。
【００１３】
すなわち、これは本発明が、フレームに挿着することでブッシュを、ケーブルクランプユニットを装着可能とした保持部材側へ移動させてチャック、ブッシュ相互の密着を解除させる一方、フレームから抜去することでブッシュをフェルール側へ移動させてチャック、ブッシュ相互を密着させるロック部材を備えて成る現場組立光コネクタであって、フレームには、ロック部材を挿入可能とする開口部を備えた摘み部が外装固定されて成るからであり、これにより、摘み部を取り外さなくても両光ファイバの心線同士の調心が容易に行われると同時に、ファイバ孔に挿入される心線の太さのバラツキに関係なく、常に一定の押圧力で心線を保持することができる。
【００１４】
また、ロック部材は、ロックプレートの両側に、フレームの挿入孔にブッシュやチャック等に抵触することなく挿入可能な二股脚部を備えて成るので、ブッシュ、チャック、保持部材それぞれに加工を施すことなく、低減な材料費で安価にコネクタを製造することができる。
【００１５】
摘み部が外装されたフレームの後端側に装着された保持部材の後端部側には、ケーブルクランプユニット装着後の光ファイバー心線の撓み状態確認用の開閉可能な蓋体を有する嵌合部本体を備えて成るので、ケーブルクランプユニット装着後の光ファイバー心線の撓み状態を容易に確認することができる。
【００１６】
ケーブルクランプユニットは、光ファイバー心線の案内溝を備えた身部と、当該身部の案内溝に対向した案内溝を備えた開閉可能な蓋部とから成り、身部もしくは蓋部の何れか一方には、光ファイバケーブルを押さえる突起を付設して成るので、ケーブルクランプユニットへの光ファイバの取り付け作業が容易に行え、かつ光ファイバをしっかりと固定できる。しかも低減な材料費で安価にケーブルクランプユニットを製造することができる。
【発明を実施するための最良の形態】
【００１７】
以下、本発明を実施する最良の形態を図面を参照して説明すると、図に示される符号１は、相手側フェルール（図示していない）に突き合わせられることにより、フェルール２内に挿入された光ファイバＰとの接続を行うための略矩形状を呈する現場組立式の光コネクタである。光コネクタ１は、図１に示すように、フェルール２の先端部分が挿入されるブッシュ３と、ブッシュ３が前後方向で僅かに移動可能となるように挿入された保持部材４と、保持部材４に嵌合するフレーム５と、フレーム５の外側を被覆する摘み部６とから概ね構成されている。
【００１８】
フェルール２は、図１および図７に示すように、両端部が矩形状に開口されたファイバ孔２Ａが軸方向に形成されており、挿入される光ファイバＰの突き当て接続部Ｃの位置する後部側には、ファイバ孔２Ａまで達する矩形状の凹部８を設けてある。ファイバ孔２Ａにおいて、光ファイバＰの突き当て接続部Ｃまでの前部側にはあらかじめ光ファイバＰ’が挿着されると共に、フェルール２の前端は研磨加工されている。
【００１９】
そして、上面側に前部から後部に向かって前傾するテーパ面７Ａを有する板状のチャック７が凹部８に合致するように被せられることで、光ファイバＰの心線の突き当て接続部Ｃを下面側で押さえ付けて、あらかじめファイバ孔２Ａに挿着されている光ファイバＰ’と、挿入される光ファイバＰの調心保持が行えるようにしてある。なお、フェルール２の後端にはファイバ孔２Ａよりも拡径された末広がりの案内用ファイバ孔２Ｂが形成されている。
【００２０】
また、フェルール２のファイバ孔２Ａよりも拡径され、しかも後端部側では開口端に向けて末広がりとなる案内用ファイバ孔３Ａが形成されたブッシュ３を備え、このブッシュ３には、チャック７のテーパ面７Ａに外側から密着するよう一部にテーパ内面９Ａを有する矩形状の嵌合孔９が前端部に形成されており、組付後にはフェルール２のファイバ孔２Ａと同軸で連通するようにしてある。
【００２１】
さらに、ファイバ孔２Ａよりも拡径され、しかも後端部側では開口端に向けて末広がりとなるテーパ状ファイバ孔４Ａが後端部に形成された略矩形状の保持部材４を備え、この保持部材４には、ブッシュ３に外側から嵌合する矩形状の嵌合孔４Ｃが前端部に形成されており、組付後にはブッシュ３の案内用ファイバ孔３Ａと同軸で連通するようにしてある。そして、保持部材４の後端部には、後述するケーブルクランプユニット２１を装着可能としてある。
【００２２】
保持部材４の前端部とブッシュ３前端部の外面側に形成されたフランジ状の係止部３Ｂの間に形成されている矩形環状の空間部Ｓ１には、弾性部材１０としての例えばコイルスプリングがブッシュ３を巻装させるようにした状態で介在配置させてある。
【００２３】
フレーム５は、矩形状の保持部材４を挿入するよう矩形筒状に形成されており、当該保持部材４の外面側前方にはフランジ状の係止突起４Ｂを形成し、この係止突起４Ｂに係架保持されるようフレーム５の筒内方側に向けて若干傾斜させた舌片状の係合爪片５Ａを後方に設けてある。また、このフレーム５の中央部やや前方側には、上下に貫通する２個一対のロック部材挿入孔５Ｃが左右両側に所定の間隔を置いて設けてある。
【００２４】
前記摘み部６は、フレーム５に形成されているロック部材挿入孔５Ｃに合致する上下位置に、ロック部材１１を挿入可能とする開口部６Ａを備え、フレーム５の外周に装着固定されている。そして、摘み部６の後端部側は、フレーム５に装着させた状態で、ケーブルクランプユニット２１の前端開口縁端部に係止されて保持されることによって取り外せないようにしてある。
【００２５】
さらに、摘み部６の開口部６Ａを介して、ロック部材挿入孔５Ｃにロック部材１１を挿着することによりブッシュ３を保持部材４側へ移動させてチャック７のテーパ面７Ａ、ブッシュ３の嵌合孔９のテーパ内面９Ａ相互の密着を解除させる一方、摘み部６の開口部６Ａを介して、ロック部材挿入孔５Ｃからロック部材１１を抜去することによりブッシュ３をフェルール２側へ移動させてチャック７のテーパ面７Ａ、ブッシュ３の嵌合孔９のテーパ内面９Ａ相互を密着させるようにしてある。
【００２６】
このロック部材１１は図１および図７に示したように、ロックプレート１２と、該ロックプレート１２の両側に所定の間隔、すなわち前記フェルール２の両側を通過しつつフレーム５の挿入孔５Ｃへ挿入可能な間隔を置いて立設された二股脚部１３を備えている。各二股脚部１３は、基部側が太幅に、先端側がテーパ部１３ａを介して細幅に形成されている。
【００２７】
而して、このロック部材１１の二股脚部１３をフレーム５の一方の挿入孔５Ｃから挿入すると、フレーム５の筒内壁面に突設した内方突起５Ｂと、ブッシュ３外側面側に形成された前記フランジ状の係止部３Ｂ間に形成された空間部Ｓ２のフェルール２両側を通って他方の挿入孔５Ｃへ挿入され、細幅の先端がフレーム５の外方に突出、保持される。
【００２８】
このようにしてロック部材１１の二股脚部１３を摘み部６の開口部６Ａを介してフレーム５の挿入孔５Ｃへ挿入すると、前記弾性部材１０であるコイルスプリングの拡圧弾性力に抗してブッシュ３を保持部材４側へ向けて押し退けるようにして押圧させ、チャック７のテーパ面７Ａ、ブッシュ３の嵌合孔９のテーパ内面９Ａ相互の密着を解除させる。なお、この挿入途中でブッシュ３は、その係止部３Ｂが二股脚部１３のテーパ部１３ａから太幅の基部側へ摺動することによって徐々に保持部材４側へ向けて押圧、移動する。
【００２９】
一方、ロック部材１１の二股脚部１３が摘み部６の開口部６Ａを介してフレーム５の挿入孔５Ｃから抜脱されることで、前記弾性部材１０であるコイルスプリングの拡圧弾性力によってブッシュ３をフェルール２側へ向けて付勢移動させ、チャック７のテーパ面７Ａ、ブッシュ３の嵌合孔９のテーパ内面９Ａ相互を密着させることにより突き当て接続部Ｃをチャック７の下面側で押さえ付ける。
【００３０】
フェルール２には、図７に示したように、フレーム５の内方突起５Ｂと、ブッシュ３外面側のフランジ状の係止部３Ｂとの間に形成された空間部Ｓ２に対向してファイバ孔２Ａ近傍の深さまで矩形状の溝部１４を設けてある。また、この溝部１４には、その底部からファイバ孔２Ａ内の光ファイバＰ’を切断した後フェルール２に到達する位置まで、フィルタを装着するためのスリット部１５が形成されている。そして、溝部１４は、フランジ付きの金属製筒状のホルダ１６によって被覆されている。このときフィルタ装着用のスリット部１５は、ホルダ１６の略中間部の真下に位置するように配置される。
【００３１】
図４乃至図７に示すように、摘み部６が外装されたフレーム５の後端側に装着された保持部材４の後端部側には、ケーブルクランプユニット２１装着後の光ファイバー心線の撓み状態を確認するための開閉可能な蓋体３２を有する嵌合部本体３１を備えている。すなわち、嵌合部本体３１は、角筒体を略半割した形状を呈し、これの前端開口側内壁部に形成されている突部を、保持部材４の後端部一側面に形成されている凹部（それぞれ図示）に嵌め込み、さらに蓋体３２の端部に形成した支軸３２Ａを、保持部材４の後端部他側面に形成されている凹状の軸承部３２Ｂに嵌め込むと同時に、嵌合部本体３１の後端開口側に形成されている係止板中央に突設された係止突起３３Ａを、蓋体３２の両側面部に形成されている係止孔３３Ｂに係合する。また、嵌合部本体３１、蓋体３２それぞれの中央内壁面には、図７に示したように、係止突起３８が突設され、ケーブルクランプユニット２１を嵌合部本体３１内に装着して蓋体３２を閉蓋した際に、当該ケーブルクランプユニット２１の後述する係止孔２７Ｂに係止突起３８が係合されるようにしてある。
【００３２】
この係止板の係止突起３３Ａと、蓋体３２の係止孔３３Ｂとは、嵌合部本体３１から蓋体３２を開けるに際し、互いに両者の嵌合状態が解除されるものである。そして、基部３４の両端対向位置に２個一対の係止爪部３５を突設した押さえ具３６の当該基部３４によって蓋体３２の支軸３２Ａを被せるようにして保持部材４に装着させ、係止爪部３５それぞれに形成されている係止孔３５Ａを、嵌合部本体３１の前端開口側外壁部に形成されている係止突起３７に係合させることで、図４および図５に示したように、嵌合部本体３１に対して蓋体３２が開閉可能となるように保持部材４側に嵌合部本体３１が取り付けられる。
【００３３】
一方、ケーブルクランプユニット２１は、図２、図３、図９乃至図１１に示したように、光ファイバー心線の案内溝２２Ａを備えた身部２５と、当該身部２５の案内溝２２Ａに対向して案内溝２２Ｂを形成した開閉可能な蓋部２６とから構成されている。そして、蓋部２６には、光ファイバケーブルを押さえるための二段爪状の押圧突起２６Ｂを付設してある。すなわち、ケーブルクランプユニット２１は、略コ字枠状の身部２５の一端開口側上部に蓋部２６が支軸２６Ａを介して回動可能に取り付けられており、蓋部２６の左右両側には係止突起２７Ａが形成され、身部２５の左右壁面にそれぞれ形成されている係止孔２７Ｂに係止突起２７Ａが係合されて閉蓋状態を維持できるようにしてある。
【００３４】
そして、光ファイバＰを貫通させるよう身部２５、蓋部２６相互の案内溝２２Ａ、２２Ｂによって、閉蓋状態で中央の光ファイバ貫通孔２２が形成されると共に、図２および図３に示すように、光ファイバＰに対して左右に二股状に引き裂かれた外被Ｑをそれぞれ挿入して保持可能にするよう身部２５内底面において左右二股に分岐した外被挿入路２３を備え、蓋部２６の支軸２６Ａには光ファイバケーブルを押さえるための二段爪状の押圧突起２６Ｂを形成してある。すなわち、光ファイバＰの撓みをケーブルクランプユニット２１で吸収すべく二芯の外被Ｑを股裂きして抑える構造とし、二股に分かれた外被Ｑは、この押圧突起２６Ｂによってしっかりと保持されるものとしてある。
【００３５】
尚、ケーブルクランプユニット２１は、光ファイバ貫通孔２２、外被挿入溝２３それぞれを備えた身部２５と、透明部材によって形成されている蓋部２６とによる２個の成型部品で形成されていても良い。このように蓋部２６を透明部材によって形成することで、透明部材を通して空間部の様子や中の光ファイバＰや外被Ｑの状態を見ることができ、接続作業やメンテナンス等を容易なものとすることができる。
【００３６】
また、蓋部２６のみならず身部２５も透明材によって形成しても良く、さらに、身部２５、蓋部２６ともに不透明材によって形成し、所定部位に内部視認用の窓孔を設けても良い。一方で、図１１に示したように、蓋部２６に偏心カム状の押圧突起２６Ｂを設け、これに対応するように身部２５に外被挿入路２３の上面に凹凸状の滑り止め２３Ａを設けることもできる。
【００３７】
ところで、以上の実施形態で示されたフェルール２にあらかじめ挿着される光ファイバＰ’は、汎用の光ファイバ専用な構造となっているが、本光コネクタ１は、それ以外の光ファイバにも適用できるものである。例えば、ファイバーグレーティング用のファイバやドープファイバ（光減裏器用のファイバ）等も使用でき、組み込む光ファイバの種類は問わない。
【００３８】
次に、以上のように構成された最良の形態についての使用、組立の一例を説明するに、先ず、ケーブルクランプユニット２１に光ファイバＰを取り付ける。すなわち、図８（ａ）乃至（ｃ）に示したように、ケーブルクランプユニット２１の身部２５から蓋部２６を開いて、身部２５の案内溝２２Ａに光ファイバＰの心線を挿入すると同時に、左右二股に分岐した外被挿入路２３に対し、光ファイバＰに対して左右に二股状に引き裂かれた外被Ｑをそれぞれ挿入した後、蓋部２６を身部２５に閉蓋固定する。このとき、中央の光ファイバ貫通孔２２に光ファイバＰの心線を貫通させると同時に、左右二股に分岐した外被挿入路２３に対し、光ファイバＰに対して左右に二股状に引き裂かれた外被Ｑがそれぞれ挿入され、押圧突起２６Ｂ、または２６Ｃでもって外被Ｑが固定される。このように二股に裂いた外被Ｑを左右の外被挿入路２３で固定させるため、中央の光ファイバ貫通孔２２から出た光ファイバＰに撓みを持たせるための長い自由度が付与されるのである。
【００３９】
次に、ケーブルクランプユニット２１を光コネクタ１に接続する。
すなわち、図８（ｄ）乃至（ｇ）に示すように、あらかじめロック部材１１の二股脚部１３を、摘み部６の開口部６Ａを介してフレーム５の挿入孔５Ｃにそれぞれ挿入しておく。このときフレーム５、ブッシュ３相互間の空間部Ｓ２に二股脚部１３が挿入することで、ブッシュ３を保持部材４側へ移動させ、チャック７への締め付け力を解除させる状態となる。
【００４０】
そして、ケーブルクランプユニット２１を光コネクタ１に接続するとき、嵌合部本体３１から蓋体３２を開けておき、フェルール２のファイバ孔２Ａに挿入される光ファイバＰ心線の撓み状態を確認し、これを修正、調整した後に蓋体３２を閉蓋する。これによって、嵌合部本体３１、蓋体３２それぞれの中央内壁面の係止突起３８が、ケーブルクランプユニット２１の係止孔２７Ｂに係合されて抜脱されないようにしっかりと固定される。
【００４１】
接続した後の光ファイバＰの挿入された心線の接続部Ｃにおける突き当て後に、ロック部材１１の二股脚部１３をフレーム５の挿入孔５Ｃから抜脱することで、弾性部材１０の拡圧弾性力によってブッシュ３をフェルール２側へ向けて付勢移動させ、チャック７に締め付け力を付与して、チャック７のテーパ面７Ａ、ブッシュ３の嵌合孔９のテーパ内面９Ａ相互を密着させて突き当て接続部Ｃおよびその近傍をチャック７の下面側で押さえ付けるものとなる。
【００４２】
こうして光ファイバＰの心線の調心と保持とが同時に行われるものとなる。すなわち、ブッシュ３の内側において、片面がフェルール２に、他の片面がチャック７のテーパ面７Ａに接触して弾性部材１０の弾性力をファイバ締め付け方向に変換させるのである。その後、ケーブルクランプユニット２１の外周には必要に応じて不図示のブーツが嵌装される。
【図面の簡単な説明】
【００４３】
【図１】本発明を実施するための最良の形態における光コネクタを示す分解斜視図である。
【図２】同じくケーブルクランプユニットに光ファイバを組付るときの蓋部を開いた状態を示す斜視図である。
【図３】同じくケーブルクランプユニットに光ファイバを組付た後、蓋部を閉めた状態を示す斜視図である。
【図４】蓋体を開けた状態で光コネクタにケーブルクランプユニットを接続する途中の状態を示す斜視図である。
【図５】光コネクタにケーブルクランプユニットを接続した状態を示す斜視図である。
【図６】光コネクタにケーブルクランプユニットを接続した状態を示すもので、（ａ）は平面図、（ｂ）は側面図である。
【図７】同じく光コネクタを示すもので、（ａ）は平面側から見た断面図、（ｂ）は側面側から見た一部切欠断面図である。
【図８】（ａ）乃至（ｇ）は光コネクタにケーブルクランプユニットを組み付る作業手順を示すものである。
【図９】同じくケーブルクランプユニットの分解斜視図である。
【図１０】同じくケーブルクランプユニットの蓋部が開いた状態を示す斜視図である。
【図１１】他の実施形態を示すケーブルクランプユニットの一部断面の分解斜視図である。
【符号の説明】
【００４４】
Ｐ              光ファイバ
Ｑ              外被
Ｓ１、Ｓ２      空間部
１              光コネクタ
２              フェルール
２Ａ            ファイバ孔
３              ブッシュ
３Ａ            案内用ファイバ孔
４              保持部材
４Ａ            テーパ状ファイバ孔
４Ｂ            係止突起
５              フレーム
５Ａ            内方突起
６              摘み部
７              チャック
７Ａ            テーパ面
８              凹部
９              嵌合孔
９Ａ            テーパ内面
１０            弾性部材
１１            ロック部材
１２            ロックプレート
１３            二股脚部
１４            溝部
１５            スリット部
１６            ホルダ
２１            ケーブルクランプユニット
２２            光ファイバ貫通孔
２２Ａ、２２Ｂ  案内溝
２３            外被挿入路
２５            身部
２６            蓋部
２６Ｂ          押圧突起
２６Ｃ          押圧突起
３１            嵌合部本体
３２            蓋体
３２Ａ          支軸
３２Ｂ          軸承部
３４            基部
３５            係止爪部
３５Ａ          係止孔
３６            押さえ具
３７            係止突起
３８            係止突起
【図１】
2006184491.tif 000003
【図２】
2006184491.tif 000004
【図３】
2006184491.tif 000005
【図４】
2006184491.tif 000006
【図５】
2006184491.tif 000007
【図６】
2006184491.tif 000008
【図７】
2006184491.tif 000009
【図８】
2006184491.tif 000010
【図９】
2006184491.tif 000011
【図１０】
2006184491.tif 000012
【図１１】
2006184491.tif 000013